(57)【特許請求の範囲】
【請求項１】
交流電動機へ任意の電力を出力する電力変換器と、
前記交流電動機に供給される電流を検出する電流検出回路と、
前記交流電動機に供給される電流を励磁電流検出値とトルク電流検出値に変換して出力する座標変換回路と、
前記励磁電流指令値と前記励磁電流検出値とが一致するように励磁電流方向電圧を制御する励磁電流制御回路と、
前記トルク電流指令値と前記トルク電流検出値とが一致するようにトルク電流方向電圧を制御するトルク電流制御回路と、
与えられた出力周波数指令から交流電動機の誘起電圧を演算するＶ／ｆ変換回路と、
与えられた出力周波数指令を積分することにより得られる位相角を演算する位相角演算回路と、
前記励磁電流制御回路と前記トルク電流制御回路と前記Ｖ／ｆ変換回路から出力される電圧指令から出力電圧の大きさ及び位相を演算する出力電圧演算回路とを備え、
前記出力電圧演算回路から出力する電圧の大きさと位相に前記位相角演算回路から出力される位相角を加え、前記電力変換器のスイッチングを決定する制御方法で、かつそのための速度検出器と電圧検出器を持たない交流電動機の制御方法であって、フリーラン状態の前記交流電動機の始動する際に、前記交流電動機に直流電流あるいは直流電圧を印加し、その時流れる二次電流から前記交流電動機の回転方向及び速度を推定し、その回転方向及び速度に相当する周波数を周波数調整回路に設定して始動し、周波数調整回路により出力周波数を前記交流電動機の速度と一致させる制御方法において、
前記周波数調整回路に設定した回転方向及び周波数が実際の交流電動機の回転方向及び速度と離れていることを前記交流電動機に流れる電流の大きさから推定することを特徴とする交流電動機の制御方法。
【請求項２】
前記周波数調整回路に設定した回転方向及び周波数が実際の交流電動機の回転方向及び速度と離れていることを推定する基準は、前記交流電動機に流れる電流の大きさが設定した電流のレベル以上の状態が設定した時間継続した場合とすることを特徴とする請求項１記載の交流電動機の制御方法。
【請求項３】
前記周波数調整回路に設定した回転方向及び周波数が実際の交流電動機の回転方向及び速度と離れていることを推定した後、前記交流電動機の再始動を中断し、再度前記交流電動機に直流電流あるいは直流電圧を印加し、その時流れる二次電流から前記交流電動機の回転方向及び速度を推定し直し、その回転方向及び速度に相当する周波数を周波数調整回路に再設定して再始動することを特徴とする請求項１又は２記載の交流電動機の制御方法。
【請求項４】
前記交流電動機に直流電流あるいは直流電圧を印加し、その時流れる二次電流から前記交流電動機の回転方向及び速度を推定し直す際に、
その速度の推定値は、前回推定した速度よりも設定した速度だけ下げた値または周波数調整回路の最終出力値が上限値となるように推定して、その推定値に相当する周波数を周波数調整回路に設定して始動することを特徴とする請求項３記載の交流電動機の制御方法。
【請求項５】
交流電動機へ任意の電力を出力する電力変換器と、
前記交流電動機に供給される電流を検出する電流検出回路と、
前記交流電動機に供給される電流を励磁電流検出値とトルク電流検出値に変換して出力する座標変換回路と、
前記励磁電流指令値と前記励磁電流検出値とが一致するように励磁電流方向電圧を制御する励磁電流制御回路と、
前記トルク電流指令値と前記トルク電流検出値とが一致するようにトルク電流方向電圧を制御するトルク電流制御回路と、
与えられた出力周波数指令から交流電動機の誘起電圧を演算するＶ／ｆ変換回路と、
与えられた出力周波数指令を積分することにより得られる位相角を演算する位相角演算回路と、
前記励磁電流制御回路と前記トルク電流制御回路と前記Ｖ／ｆ変換回路から出力される電圧指令から出力電圧の大きさ及び位相を演算する出力電圧演算回路とを備え、
前記出力電圧演算回路から出力する電圧の大きさと位相に前記位相角演算回路から出力される位相角を加え、前記電力変換器のスイッチングを決定する制御装置で、かつそのための速度検出器と電圧検出器を持たない交流電動機の制御装置であって、フリーラン状態の前記交流電動機の始動する際に、前記交流電動機に直流電流あるいは直流電圧を印加し、その時流れる二次電流から前記交流電動機の回転方向及び速度を推定し、その回転方向及び速度に相当する周波数を周波数調整回路に設定して始動し、周波数調整回路により出力周波数を前記交流電動機の速度と一致させる制御装置において、
前記周波数調整回路に設定した回転方向及び周波数が実際の交流電動機の回転方向及び速度と離れていることを前記交流電動機に流れる電流の大きさから推定する誤設定推定手段を備えたことを特徴とする交流電動機の制御装置。
【請求項６】
前記誤設定推定手段が前記交流電動機に流れる電流の大きさから誤設定と推定する基準は、前記交流電動機に流れる電流の大きさが設定した電流のレベル以上の状態が設定した時間継続した場合とすることを特徴とする請求項５記載の交流電動機の制御装置。
【請求項７】
前記誤設定推定手段が誤設定と推定した後、前記交流電動機の再始動を中断し、再度前記交流電動機に直流電流あるいは直流電圧を印加し、その時流れる二次電流から前記交流電動機の回転方向及び速度を推定し直し、その回転方向及び速度に相当する周波数を周波数調整回路に再設定して再始動することを特徴とする請求項５又は６記載の交流電動機の制御装置。
【請求項８】
前記交流電動機に直流電流あるいは直流電圧を印加し、その時流れる二次電流から前記交流電動機の回転方向及び速度を推定し直す際に、
その速度の推定値は、前回推定した速度よりも設定した速度だけ下げた値または周波数調整回路の最終出力値が上限値となるように推定して、その推定値に相当する周波数を周波数調整回路に設定して始動することを特徴とする請求項７記載の交流電動機の制御方法。
【請求項９】
交流電動機へ任意の電力を出力する電力変換器と、
前記交流電動機に供給される電流を検出する電流検出回路と
前記交流電動機に供給される電流を励磁電流検出値とトルク電流検出値に変換して出力する座標変換回路と、
前記励磁電流指令値と前記励磁電流検出値とが一致するように励磁電流方向電圧を制御する励磁電流制御回路と、
前記トルク電流指令値と前記トルク電流検出値とが一致するようにトルク電流方向電圧を制御するトルク電流制御回路と、
与えられた出力周波数指令から交流電動機の誘起電圧を演算するＶ／ｆ変換回路と、
与えられた出力周波数指令を積分することにより得られる位相角を演算する位相角演算回路と、
前記励磁電流制御回路と前記トルク電流制御回路と前記Ｖ／ｆ変換回路から出力される電圧指令から出力電圧の大きさ及び位相を演算する出力電圧演算回路とを備え、
前記出力電圧演算回路から出力する電圧の大きさと位相に前記位相角演算回路から出力される位相角を加え、前記電力変換器のスイッチングを決定する制御方法で、かつそのための速度検出器と電圧検出器を持たない交流電動機の制御方法であって、フリーラン状態の前記交流電動機の始動する際に、前記交流電動機に直流電流あるいは直流電圧を設定した時間だけ印加し、その時流れる二次電流から前記交流電動機の回転方向及び速度を推定し、その回転方向及び速度に相当する周波数を周波数調整回路に設定して始動し、周波数調整回路により出力周波数を前記交流電動機の速度と一致させる方法において、
直流電流あるいは直流電圧を印加する時間は、前記交流電動機の推定下限値あるいは二次回路時定数の設定値から演算される値の長い方を設定することを特徴とする交流電動機の制御方法。
【請求項１０】
前記直流電流あるいは直流電圧印加する時間内に、二次電流の周波数が測定できない場合には、前記交流電動機が停止していると判断して、予め設定していた最低周波数または零周波数を周波数調整回路に入力することを特徴とする請求項９記載の交流電動機の制御方法。
【請求項１１】
交流電動機へ任意の電力を出力する電力変換器と、
前記交流電動機に供給される電流を検出する電流検出回路と
前記交流電動機に供給される電流を励磁電流検出値とトルク電流検出値に変換して出力する座標変換回路と、
前記励磁電流指令値と前記励磁電流検出値とが一致するように励磁電流方向電圧を制御する励磁電流制御回路と、
前記トルク電流指令値と前記トルク電流検出値とが一致するようにトルク電流方向電圧を制御するトルク電流制御回路と、
与えられた出力周波数指令から交流電動機の誘起電圧を演算するＶ／ｆ変換回路と、
与えられた出力周波数指令を積分することにより得られる位相角を演算する位相角演算回路と、
前記励磁電流制御回路と前記トルク電流制御回路と前記Ｖ／ｆ変換回路から出力される電圧指令から出力電圧の大きさ及び位相を演算する出力電圧演算回路とを備え、
前記出力電圧演算回路から出力する電圧の大きさと位相に前記位相角演算回路から出力される位相角を加え、前記電力変換器のスイッチングを決定する制御装置で、しかもそのための速度検出器と電圧検出器を持たない交流電動機の制御装置であって、フリーラン状態の前記交流電動機の始動する際に、前記交流電動機に直流電流あるいは直流電圧を設定した時間だけ印加し、その時流れる二次電流から前記交流電動機の回転方向及び速度を推定し、その回転方向及び速度に相当する周波数を周波数調整回路に設定して始動し、周波数調整回路により出力周波数を前記交流電動機の速度と一致させる交流電動機の制御装置において、
直流電流あるいは直流電圧を印加する時間は、前記交流電動機の推定下限値あるいは二次回路時定数の設定値から演算される値の長い方を設定することを特徴とする交流電動機の制御装置。
【請求項１２】
前記直流電流あるいは直流電圧印加する時間内に、二次電流の周波数が測定できない場合には、前記交流電動機が停止していると判断して、予め設定していた最低周波数または零周波数を周波数調整回路に入力することを特徴とする請求項１１記載の交流電動機の制御装置。
【発明の詳細な説明】
【０００１】
【発明の属する技術分野】
本発明は交流電動機を始動する場合に、フリーラン状態の交流電動機の速度を推定して、推定した速度で運転することにより、スムーズに交流電動機を始動することを特徴とする交流電動機の制御方法及び装置に関する。
【０００２】
【従来の技術】
特開２００１−１６１０９４号公報記載の交流電動機の制御方法は、交流電動機へ電力を出力する電力変換器を有し、電流指令信号と前記電力変換器の出力電流検出信号の偏差信号に基づいて、前記電力変換器の出力電流を制御する電流制御部を備え、前記交流電動機がフリーラン状態にある場合に、任意の直流電流を設定した時間供給し、前記電力変換器の出力電流検出信号に表れる周波数成分を検出し、この周波数成分から前記交流電動機の速度を推定するものである。
しかしながら、特開２００１−１６１０９４号公報記載の方法において、前記交流電動機に残留電圧が大きく残っていた場合には、その残留電圧が影響して、実際の交流電動機の速度と異なる速度を推定してしまうことがある。この場合、電力変換器に推定した速度に相当する周波数を設定して始動すると、前記交流電動機が誤検出した速度に近づくように大きな電流が流れ、スムーズに再始動できなくなる場合があった。
また、特願２００２−８０８９１号公報記載の交流電動機の制御方法は、周波数調整回路に予め設定した周波数と検出した回転方向を設定し、トルク電流検出値を入力として、トルク電流検出値が正であれば、出力周波数を下げ、トルク電流検出値が負であれば、出力周波数を上げ、トルク電流検出値を０に近づけるように出力周波数を調整することにより、フリーラン状態の前記交流電動機と前記電力変換器の出力周波数を一致させスムーズに始動するようにしている。
しかしながら、この場合でも、トルク電流検出値を０に近づけるように出力周波数を調整したがスムーズに再始動できなくなる場合があった。
【０００３】
また、前述の特開２００１−１６１０９４号公報記載の交流電動機の制御方法においては、交流電動機がフリーラン状態にある場合に任意の直流電流を設定した時間供給するとあるが、その設定時間の決定方法については何ら具体的に触れていない。
【０００４】
【発明が解決しようとする課題】
そこで本発明はこれらの課題を解決するもので、フリーラン状態にある交流電動機の再始動時における回転方向あるいは速度の推定を間違えた場合、これを誤推定と素早く判断できるようにしてフリーラン状態の交流電動機をスムーズに再始動することができ、
また、フリーラン状態にある交流電動機の再始動時に交流電動機に印加する直流電流の印加時間を正確に設定することにより、同じくフリーラン状態の交流電動機をスムーズに再始動することができる交流電動機の制御方法及び制御装置を得ることを目的としている。
【０００５】
【課題を解決するための手段】
上記の目的を達成するため、請求項１記載の交流電動機の制御方法の発明は、交流電動機へ任意の電力を出力する電力変換器と、前記交流電動機に供給される電流を検出する電流検出回路と、前記交流電動機に供給される電流を励磁電流検出値とトルク電流検出値に変換して出力する座標変換回路と、前記励磁電流指令値と前記励磁電流検出値とが一致するように励磁電流方向電圧を制御する励磁電流制御回路と、前記トルク電流指令値と前記トルク電流検出値とが一致するようにトルク電流方向電圧を制御するトルク電流制御回路と、与えられた出力周波数指令から交流電動機の誘起電圧を演算するＶ／ｆ変換回路と、与えられた出力周波数指令を積分することにより得られる位相角を演算する位相角演算回路と、前記励磁電流制御回路と前記トルク電流制御回路と前記Ｖ／ｆ変換回路から出力される電圧指令から出力電圧の大きさ及び位相を演算する出力電圧演算回路とを備え、前記出力電圧演算回路から出力する電圧の大きさと位相に前記位相角演算回路から出力される位相角を加え、前記電力変換器のスイッチングを決定する制御方法で、かつそのための速度検出器と電圧検出器を持たない交流電動機の制御方法であって、フリーラン状態の前記交流電動機の始動する際に、前記交流電動機に直流電流あるいは直流電圧を印加し、その時流れる二次電流から前記交流電動機の回転方向及び速度を推定し、その回転方向及び速度に相当する周波数を周波数調整回路に設定して始動し、周波数調整回路により出力周波数を前記交流電動機の速度と一致させる制御方法において、前記周波数調整回路に設定した回転方向及び周波数が実際の交流電動機の回転方向及び速度と離れていることを前記交流電動機に流れる電流の大きさから推定することを特徴とする。
請求項２記載の発明は、請求項１記載の交流電動機の制御方法において、前記周波数調整回路に設定した回転方向及び周波数が実際の交流電動機の回転方向及び速度と離れていることを推定する基準が、前記交流電動機に流れる電流の大きさが設定した電流のレベル以上の状態が設定した時間継続した場合とすることを特徴とする。
請求項３記載の発明は、請求項１又は２記載の交流電動機の制御方法において、前記周波数調整回路に設定した回転方向及び周波数が実際の交流電動機の回転方向及び速度と離れていることを推定した後、前記交流電動機の再始動を中断し、再度前記交流電動機に直流電流あるいは直流電圧を印加し、その時流れる二次電流から前記交流電動機の回転方向及び速度を推定し直し、その回転方向及び速度に相当する周波数を周波数調整回路に再設定して再始動することを特徴とする。
請求項４記載の発明は、請求項３記載の交流電動機の制御方法において、前記交流電動機に直流電流あるいは直流電圧を印加し、その時流れる二次電流から前記交流電動機の回転方向及び速度を推定し直す際に、その速度の推定値は、前回推定した速度よりも設定した速度だけ下げた値または周波数調整回路の最終出力値が上限値となるように推定して、その推定値に相当する周波数を周波数調整回路に設定して始動することを特徴とする。
【０００６】
請求項５の交流電動機の制御装置の発明は、交流電動機へ任意の電力を出力する電力変換器と、記交流電動機に供給される電流を検出する電流検出回路と、前記交流電動機に供給される電流を励磁電流検出値とトルク電流検出値に変換して出力する座標変換回路と、前記励磁電流指令値と前記励磁電流検出値とが一致するように励磁電流方向電圧を制御する励磁電流制御回路と、前記トルク電流指令値と前記トルク電流検出値とが一致するようにトルク電流方向電圧を制御するトルク電流制御回路と、与えられた出力周波数指令から交流電動機の誘起電圧を演算するＶ／ｆ変換回路と、与えられた出力周波数指令を積分することにより得られる位相角を演算する位相角演算回路と、前記励磁電流制御回路と前記トルク電流制御回路と前記Ｖ／ｆ変換回路から出力される電圧指令から出力電圧の大きさ及び位相を演算する出力電圧演算回路とを備え、前記出力電圧演算回路から出力する電圧の大きさと位相に前記位相角演算回路から出力される位相角を加え、前記電力変換器のスイッチングを決定する制御装置で、かつそのための速度検出器と電圧検出器を持たない交流電動機の制御装置であって、フリーラン状態の前記交流電動機の始動する際に、前記交流電動機に直流電流あるいは直流電圧を印加し、その時流れる二次電流から前記交流電動機の回転方向及び速度を推定し、その回転方向及び速度に相当する周波数を周波数調整回路に設定して始動し、周波数調整回路により出力周波数を前記交流電動機の速度と一致させる制御装置において、前記周波数調整回路に設定した回転方向及び周波数が実際の交流電動機の回転方向及び速度と離れていることを前記交流電動機に流れる電流の大きさから推定する誤設定推定手段を備えたことを特徴とする。
請求項６記載の発明は、請求項５記載の交流電動機の制御装置において、前記誤設定推定手段が前記交流電動機に流れる電流の大きさから誤設定と推定する基準が、前記交流電動機に流れる電流の大きさが設定した電流のレベル以上の状態が設定した時間継続した場合とすることを特徴とする。
請求項７記載の発明は、請求項５又は６記載の交流電動機の制御装置において、前記誤設定推定手段が誤設定と推定した後、前記交流電動機の再始動を中断し、再度前記交流電動機に直流電流あるいは直流電圧を印加し、その時流れる二次電流から前記交流電動機の回転方向及び速度を推定し直し、その回転方向及び速度に相当する周波数を周波数調整回路に再設定して再始動することを特徴とする。
請求項８記載の発明は、請求項７記載の交流電動機の制御装置において、前記交流電動機に直流電流あるいは直流電圧を印加し、その時流れる二次電流から前記交流電動機の回転方向及び速度を推定し直す際に、その速度の推定値が、前回推定した速度よりも設定した速度だけ下げた値または周波数調整回路の最終出力値が上限値となるように推定して、その推定値に相当する周波数を周波数調整回路に設定して始動することを特徴とする。
【０００７】
請求項９記載の交流電動機の制御方法の発明は、交流電動機へ任意の電力を出力する電力変換器と、前記交流電動機に供給される電流を検出する電流検出回路と、前記交流電動機に供給される電流を励磁電流検出値とトルク電流検出値に変換して出力する座標変換回路と、前記励磁電流指令値と前記励磁電流検出値とが一致するように励磁電流方向電圧を制御する励磁電流制御回路と、前記トルク電流指令値と前記トルク電流検出値とが一致するようにトルク電流方向電圧を制御するトルク電流制御回路と、与えられた出力周波数指令から交流電動機の誘起電圧を演算するＶ／ｆ変換回路と、与えられた出力周波数指令を積分することにより得られる位相角を演算する位相角演算回路と、前記励磁電流制御回路と前記トルク電流制御回路と前記Ｖ／ｆ変換回路から出力される電圧指令から出力電圧の大きさ及び位相を演算する出力電圧演算回路とを備え、前記出力電圧演算回路から出力する電圧の大きさと位相に前記位相角演算回路から出力される位相角を加え、前記電力変換器のスイッチングを決定する制御方法で、かつそのための速度検出器と電圧検出器を持たない交流電動機の制御方法であって、フリーラン状態の前記交流電動機の始動する際に、前記交流電動機に直流電流あるいは直流電圧を設定した時間だけ印加し、その時流れる二次電流から前記交流電動機の回転方向及び速度を推定し、その回転方向及び速度に相当する周波数を周波数調整回路に設定して始動し、周波数調整回路により出力周波数を前記交流電動機の速度と一致させる方法において、直流電流あるいは直流電圧を印加する時間は、前記交流電動機の推定下限値あるいは二次回路時定数の設定値から演算される値の長い方を設定することを特徴とする。
請求項１０記載の発明は、請求項９記載の交流電動機の制御方法において、前記直流電流あるいは直流電圧印加する時間内に、二次電流の周波数が測定できない場合には、前記交流電動機が停止していると判断して、予め設定していた最低周波数または零周波数を周波数調整回路に入力することを特徴とする。
【０００８】
請求項１１記載の交流電動機の制御装置の発明は、交流電動機へ任意の電力を出力する電力変換器と、前記交流電動機に供給される電流を検出する電流検出回路と、前記交流電動機に供給される電流を励磁電流検出値とトルク電流検出値に変換して出力する座標変換回路と、前記励磁電流指令値と前記励磁電流検出値とが一致するように励磁電流方向電圧を制御する励磁電流制御回路と、前記トルク電流指令値と前記トルク電流検出値とが一致するようにトルク電流方向電圧を制御するトルク電流制御回路と、与えられた出力周波数指令から交流電動機の誘起電圧を演算するＶ／ｆ変換回路と、与えられた出力周波数指令を積分することにより得られる位相角を演算する位相角演算回路と、前記励磁電流制御回路と前記トルク電流制御回路と前記Ｖ／ｆ変換回路から出力される電圧指令から出力電圧の大きさ及び位相を演算する出力電圧演算回路とを備え、前記出力電圧演算回路から出力する電圧の大きさと位相に前記位相角演算回路から出力される位相角を加え、前記電力変換器のスイッチングを決定する制御装置で、しかもそのための速度検出器と電圧検出器を持たない交流電動機の制御装置であって、フリーラン状態の前記交流電動機の始動する際に、前記交流電動機に直流電流あるいは直流電圧を設定した時間だけ印加し、その時流れる二次電流から前記交流電動機の回転方向及び速度を推定し、その回転方向及び速度に相当する周波数を周波数調整回路に設定して始動し、周波数調整回路により出力周波数を前記交流電動機の速度と一致させる交流電動機の制御装置において、直流電流あるいは直流電圧を印加する時間は、前記交流電動機の推定下限値あるいは二次回路時定数の設定値から演算される値の長い方を設定することを特徴とする。
請求項１２記載の発明は、請求項１１記載の交流電動機の制御装置において、前記直流電流あるいは直流電圧印加する時間内に、二次電流の周波数が測定できない場合には、前記交流電動機が停止していると判断して、予め設定していた最低周波数または零周波数を周波数調整回路に入力することを特徴とする。
【０００９】
【発明の実施の形態】
以下、本発明について、図面を参照して説明する。
まず、本発明の第１の実施の形態について説明する。
第１の実施の形態は、交流電動機の再始動時に前記交流電動機に流れる電流が設定した電流レベル以上の状態で設定した時間継続した場合に、回転方向あるいは速度の推定を間違えたと判断して、再度直流電流あるいは直流電圧を印加して、交流電動機の回転方向及び速度を推定するものである。
図１は本発明における交流電動機の制御装置の第１の実施形態の構成を示すブロック図である。本実施形態における電動機の制御装置は、電力変換器１、交流電動機２、電流検出器３、電流座標変換回路４、トルク電流制御回路５、励磁電流制御回路６、位相演算回路７、Ｖ／ｆ変換回路８、出力電圧演算回路９、スイッチングパターン発生回路１０、周波数調整回路１１を備えている。
電力変換器１は、パワー素子により三相交流を変換した直流電圧をＰＷＭ制御方式により任意の周波数と電圧の交流に変換し、交流電動機２に供給する。
電流検出器３は、前記交流電動機２に供給される電流を検出する。
電流座標変換回路４は、前記電流検出器３で検出された電流をトルク電流検出値ｉqfbと励磁電流検出値ｉdfbに分離する。
トルク電流制御回路５は、与えられたトルク電流指令値ｉqrefと前記トルク電流検出値ｉqfbとが一致するように第１のｑ軸電圧指令値Ｖ’qrefを演算する。
励磁電流制御回路６は、与えられた励磁電流指令値ｉdrefと前記励磁電流検出値ｉdfbとが一致するようにｄ軸電圧指令値drefを演算する。
位相演算回路７は、与えられた周波数ｆ１を積分することにより、位相θを演算する。
Ｖ／ｆ変換回路８は、前記与えられた周波数ｆ１から、交流電動機の誘起電圧に相当する電圧Ｅrefを演算する。
出力電圧演算回路９は、前記トルク電流制御回路５の出力である第１のｑ軸電圧指令値Ｖ’qrefと前記Ｖ／ｆ変換回路８の出力である電圧Ｅref を加算し、第２のｑ軸電圧指令値Ｖqrefを演算し、前記第２のｑ軸電圧指令値Ｖqrefと前記ｄ軸電圧指令値drefとから、出力電圧指令値Ｖ1ref とその電圧位相θvを出力する。
スイッチングパターン発生回路１０は、前記出力電圧指令値Ｖ1ref 及び前記電圧位相θvと前記位相θを加算した電力変換器出力位相θdeg から、電力変換器１のスイッチングパターンを決定する。
周波数調整回路１１は、フリーラン状態の交流電動機２を再始動する場合に、前記電力変換器１から出力される周波数を調整することによりスムーズに始動できるようにするための回路である。
フリーラン状態の前記交流電動機２の回転方向及び速度を推定するために、任意に設定した時間、励磁電流指令値ｉdref に直流電流指令を与えた後、直流電流指令の符号と大きさを変えて電流制御し、トルク電流検出値ｉqfb の変化を測定する。
【００１０】
本発明では、フリーラン状態の交流電動機を始動させる際に、交流電動機に直流電流あるいは直流電圧を印加し、その時に流れる二次電流から交流電動機の回転方向及び速度を推定している。図２は交流電動機２が正転でフリーランしている場合、図３は交流電動機２が逆転でフリーランしている場合を示し、各図において、（ａ）は交流電動機２の励磁電流検出値ｉdfb、（ｂ）は交流電動機２のトルク電流検出値ｉqfbの時間変化を示している。
図２において、（ａ）のような時刻ｔ１で負の矩形波の励磁電流検出値ｉdfbが交流電動機２に流れるようにすると、正転でフリーランしている交流電動機２の場合（ｂ）のように正方向へ立ち上がる波形のトルク電流検出値ｉqfbが発生する。
逆に、図３のように、（ａ）のような時刻ｔ１で負の矩形波の励磁電流検出値ｉdfbが交流電動機２に流れるようにすると、逆転でフリーランしている交流電動機２の場合（ｂ）のように同じく負方向へ向かう波形のトルク電流検出値ｉqfbが発生する。
そこでこの点に着目して、検出したトルク電流検出値ｉqfbの時間変化から回転方向を検出することができ、またこのトルク電流検出値ｉqfbの周波数を計測することにより前記交流電動機の速度推定することができる。
【００１１】
このようにして推定した交流電動機２の回転方向及び速度推定値は、周波数調整回路１１に設定され、運転される。周波数調整回路１１はトルク電流検出値ｉqfb が０になるように周波数を調整して、交流電動機２のフリーラン状態の速度と前記電力変換器の出力周波数を一致させることにより、交流電動機２をスムーズに始動することができる。
そして本発明では、速度推定値あるいは回転方向を誤検出してしまった場合に、そのことを自動的に検出して、再度、直流電流を印加して、トルク電流検出値ｉqfbの時間変化から前記交流電動機の回転方向及び速度を推定するようにしている。すなわち、周波数調整回路に設定した回転方向及び周波数が実際の交流電動機の回転方向及び速度と離れていることを交流電動機に流れる電流の大きさから推定することとしており、具体的には交流電動機に流れる電流の大きさが設定した電流のレベル以上の状態が設定した時間継続したことを要件としている。そして、その要件が満たされた場合、交流電動機の再始動を中断し、再度前記交流電動機に直流電流あるいは直流電圧を印加し、その時流れる二次電流から前記交流電動機の回転方向及び速度を推定し直すものである。この場合の推定し直しの際に、その速度の推定値は、前回推定した速度よりも設定した速度だけ下げた値または周波数調整回路の最終出力値が上限値となるように推定して、その推定値に相当する周波数を周波数調整回路に設定して始動するようにしている。
【００１２】
次に、フリーラン状態になった交流電動機を再始動する本実施の形態の動作について、図１および図６を用いて詳細に説明する。
交流電動機２がフリーラン状態の場合、図１の３つのスイッチＳ１〜Ｓ３がＡ側の通常運転状態から、Ｂ側のフリーラン始動状態になる。そのため、トルク電流指令値ｉqref ＝０となり、励磁電流指令は前記Ｖ／ｆ変換回路８から出力され、出力周波数ｆ１ は前記周波数調整回路１１からの出力となる。但し、前記出力周波数調整回路１１には、零周波数を初期値として設定する。こうして、設定した時間任意の直流電流（図２又は図３の（ａ）参照）を交流電動機２に供給する（ステップＳ１）。この時に流れるトルク電流検出値ｉqfb（図２又は図３の（ｂ）参照）から周波数及び回転方向を推定する（ステップＳ２）。この推定結果から、この周波数及び回転方向を前記出力周波数調整回路１１に設定し直す（ステップＳ３）。
前記出力周波数調整回路１１に周波数及び回転方向を再設定すると、前記Ｖ／ｆ変換回路８は、二次回路時定数に従い磁束が立ち上がるように励磁電流指令を演算し、前記磁束と前記設定された周波数ｆ１から、交流電動機の誘起電圧に相当する電圧Ｅrefを演算して出力する。
周波数調整回路１１では、トルク電流検出値ｉqfbが０に近づくようにトルク電流検出値ｉqfbが正であれば、周波数を減らし、トルク電流検出値ｉqfbが負であれば、出力周波数を増やすように調整する。
磁束が通常運転時のレベルになった後、トルク電流検出値ｉqfbが０に近いある設定レベルに達すると（すなわち、交流電動機に流れる電流が設定レベル以上の大きさの状態で任意の時間継続しなくなると（ステップＳ４でＮＯ））、正常に始動できたと判断して、３つのスイッチＳ１〜Ｓ３がＡ側に切り替わる（ステップＳ７）。
ところが、周波数調整回路１１で周波数を調整している際に、前記交流電動機に流れる電流が任意の設定レベル以上の大きさの状態が任意の時間継続した場合（ステップＳ４でＹＥＳ）、本実施の形態により、明らかに異常な状態であると判定される（ステップＳ５）。この状態は前記交流電動機の回転方向と前記周波数調整回路１１に設定されている回転方向が異なるか、前記交流電動機の速度と前記周波数調整回路１１に設定されている周波数の設定値が大きく離れている場合である。
この状態を検出した場合には、一度前記電力変換器を停止して（ステップＳ６）、再度直流電流を印加するステップＳ１に戻り、前記交流電動機の回転方向及び速度を推定し直し、前記周波数調整回路に再設定する。
ここで、前記交流電動機の速度推定値の上限値として、前回推定した周波数から任意のレベルの値を減じた値もしくは前記周波数調整回路が最後に出力した周波数とする。これにより、再度推定した場合の誤検出を抑制することができる。
また、上記実施例では、交流電動機２に流れる電流をトルク電流と励磁電流に分離して、それぞれ独立に制御するベクトル制御を行う電力変換装置として説明したが、Ｖ／ｆ一定制御を行う電力変換装置においても、フリーラン始動時に交流電動機に流れる電流をトルク電流と励磁電流に分離して、をそれぞれ独立に制御する電流制御回路を付加すれば、全く同様の処理で本発明を実施することができる。
【００１３】
次に、本発明の第２の実施の形態について説明する。
第２の実施の形態では、励磁電流指令値ｉdrefに直流電流指令を与える任意の時間の設定方法に関するもので、任意の直流電流の印加時間を交流電動機の推定速度の下限値もしくは二次回路時定数の長い方を設定することにより、交流電動機の回転方向及び速度を確実に推定している。
トルク電流検出値の周波数の一測定方法として、正側のピークと負側のピークの周期または零クロスポイント間の周期を測定する方法がある。
ところが、図４のように正側のピークと負側のピークの周期Ｔ１または零クロスポイント間の周期Ｔ２が測定できない場合には、周波数が検出できなくなってしまう。このため、周波数の検出が可能なように直流電流を流しつづけなければならなくなる。
しかしながら、前記交流電動機が低速でフリーランしている場合には、前記電力変換器を零周波数または出力可能な最低周波数から始動してもほとんどショックがなくスムーズに始動できることに着目し、このため、予め前記交流電動機のフリーラン時の速度推定値に下限値を設定しておき、その速度以下の場合は停止していると判断し、速度推定値を予め設定した値または零周波数として、前記周波数調整回路に設定することしている。
【００１４】
また、二次回路時定数の長い交流電動機においては、残留電圧の影響でトルク電流検出値ｉqfbが図５のような波形となり、正しく回転方向を検出できない場合がある。このため、残留電圧の影響を打ち消すために、二次回路時定数または二次回路時定数に比例するような時間だけ直流を印加するようにしている。
このようにすることにより、印加された直流によって残留電圧が打ち消されて、図５のような波形が図２（又は図３）のような検出し易い波形となり、回転方向を確実に推定することができるようになる。
従って、直流電流指令を与える任意の時間の設定方法は、予め設定した速度推定値に下限値から演算される時間、または二次回路時定数もしくは二次回路時定数に比例するような時間の長い方とするのがよい。
フリーラン状態になった交流電動機を再始動する場合の動作については、第１の実施の形態のところで詳述したので、ここでは省略する。
また、本発明の説明では、交流電動機２に流れる電流をトルク電流と励磁電流に分離して、それぞれ独立に制御するベクトル制御を行う電力変換装置として説明したが、Ｖ／ｆ一定制御を行う電力変換装置においても、フリーラン始動時に交流電動機に流れる電流をトルク電流と励磁電流に分離して、をそれぞれ独立に制御する電流制御回路を付加すれば、全く同様の処理で本発明を実施することができる。
また、本発明の説明では、周波数の測定方法として、正側のピークと負側のピークの周期または零クロスポイント間の周期を測定する方法について説明したが、一般的に確立されている周波数の検出方法を用いることでも、交流電動機の速度の推定は可能である。
【００１５】
【発明の効果】
以上のように、本発明の第１の実施の形態によれば、交流電動機の再始動時に前記交流電動機に流れる電流が設定した電流レベル以上の状態で設定した時間継続した場合には、回転方向あるいは速度の推定を間違えたと判断して、再度直流電流あるいは直流電圧を印加して、前記交流電動機の回転方向及び速度を推定するようにしているので、フリーラン状態の交流電動機をスムーズに再始動することができる。
また、本発明の第２の実施の形態によれば、任意の直流電流の印加時間を前記交流電動機の推定速度の下限値もしくは二次回路時定数の長い方を設定することにより、最適な直流電流印加時間により、前記交流電動機の回転方向及び速度を確実に推定するようにしているので、同じくフリーラン状態の交流電動機をスムーズに再始動することができる。
【図面の簡単な説明】
【図１】本発明における交流電動機の制御装置の第１の実施形態の構成を表すブロック図である。
【図２】交流電動機が正転でフリーランしているときに直流電流を与えた場合のトルク電流検出値ｉqfbの変化を表す線図である。
【図３】交流電動機が逆転でフリーランしているときに直流電流を与えた場合のトルク電流検出値ｉqfbの変化を表す線図である。
【図４】交流電動機が低速でフリーラン中に直流電流を与えた場合のトルク電流検出値ｉqfbの変化を表す線図である。
【図５】交流電動機の二次回路時定数が長い例での直流電流を与えた場合のトルク電流検出値ｉqfbの変化を表す線図である。
【図６】第１の実施形態の構成を表すフロー図である。
【符号の説明】
１    電力変換器
２    交流電動機
３    電流検出器
４    電流座標変換回路
５    トルク電流制御回路
６    励磁電流制御回路
７    位相演算回路
８    Ｖ／ｆ変換回路
９    出力電圧演算回路
１０    スイッチングパターン発生回路
１１    周波数調整回路
【図１】
0003719426.tif 000002
【図２】
0003719426.tif 000003
【図３】
0003719426.tif 000004
【図４】
0003719426.tif 000005
【図５】
0003719426.tif 000006
【図６】
0003719426.tif 000007